(57)【要約】【課題】  スパッタの付着を極力少なくすることができ、またトーチノズルの交換も簡単で優れた取り扱い性を発揮することができるアーク溶接用トーチを提供すること。【解決手段】  ノズル保持具１にチップホルダー２を嵌挿保持させ、このチップホルダー２の先端にコンタクトチップ３を取り付けるとともに、ノズル保持具１の先端にコンタクトチップ３を囲む筒状のトーチノズル４を着脱自在に取り付けてなるアーク溶接用トーチにおいて、前記トーチノズル４を絶縁性材料で成形し、これを絶縁性ブッシュを介在させることなく金属製のノズル保持具１に直接取り付けたものとした。【選択図】      図１
0003110747.tif 000002
【実用新案登録請求の範囲】
【請求項１】
ノズル保持具にチップホルダーを嵌挿保持させ、このチップホルダーの先端にコンタクトチップを取り付けるとともに、ノズル保持具の先端にコンタクトチップを囲む筒状のトーチノズルを着脱自在に取り付けてなるアーク溶接用トーチにおいて、前記トーチノズルを絶縁性材料で成形し、これを絶縁性ブッシュを介在させることなく金属製のノズル保持具に直接取り付けたことを特徴とするアーク溶接用トーチ。
【請求項２】
絶縁性材料が、フッ素系樹脂、フェノール樹脂あるいはセラミックのいずれかである請求項１に記載のアーク溶接用トーチ。
【請求項３】
ノズル保持具にトーチノズル嵌挿用の円筒状部を突設するとともに、該円筒状部の外周にＯリングを装着し、このＯリングの弾力下でトーチノズルを円筒状部に嵌挿保持させてある請求項１または２に記載のアーク溶接用トーチ。
【請求項４】
ノズル保持具にトーチノズル嵌挿用の円筒状部を突設するとともに、該円筒状部の外周にネジ部を形成し、トーチノズルを前記円筒状部の外周に螺合保持させてある請求項１または２に記載のアーク溶接用トーチ。
【請求項５】
ノズル保持具にトーチノズル嵌挿用の円筒状壁部を突設するとともに、該円筒状壁部の内周にネジ部を形成し、トーチノズルを前記円筒状壁部の内周に螺合保持させてある請求項１または２に記載のアーク溶接用トーチ。
【考案の詳細な説明】
【技術分野】
【０００１】
本考案は、スパッタの付着を極力少なくすることができ、またトーチノズルの交換も簡単で優れた取り扱い性を発揮することができるアーク溶接用トーチに関するものである。
【背景技術】
【０００２】
従来から、自動車部品や電気製品などの組立作業において、ロボットアームを用いたアーク溶接が広く用いられている。このようなアーク溶接に使用される溶接用トーチとしては、特許文献１に示されるように、ノズル保持具２１にチップホルダー２２を嵌挿保持させ、このチップホルダー２２の先端にコンタクトチップ２３を取り付けるとともに、ノズル保持具２１の先端にコンタクトチップ２３を囲む筒状のトーチノズル２４を着脱自在に取り付けたものが一般的である。
なお、２５はトーチノズル２４をノズル保持具２１に固定するためのネジ部、２６は溶接溶融池を大気より遮断するための不活性ガス供給用の不活性ガス噴出口である。また、コンタクトチップ２３の中心部には、図示しない溶接ワイヤが挿通され連続供給される構造となっている。
【０００３】
しかしながら、従来から前記トーチノズル２４は高い耐熱性と強度を要求されるため銅などからなる金属製のものが使用されているのが普通であり、この結果、チップホルダー２２との絶縁を図る必要性からノズル保持具２１に絶縁機能を持たせる必要があった。そのため、ノズル保持具２１としてネジ部２５を設けたノズル取付部２１ａと絶縁性を確保するための絶縁ブッシュ２１ｂの２部材からなるものを使用しており、ノズル保持具２１の構造が複雑で高価になるという問題点があった。また、トーチノズル２４の内面にスパッタが付着し易いという問題点もあった。
【特許文献１】特開平８−１９８６６号公報
【考案の開示】
【考案が解決しようとする課題】
【０００４】
本考案は上記のような問題点を解決して、スパッタの付着を極力少なくすることができ、またノズル保持具の構造がシンプルかつ安価あり、またトーチノズルの交換も簡単で優れた取り扱い性を発揮することができるアーク溶接用トーチを提供することを目的として完成されたものである。
【課題を解決するための手段】
【０００５】
上記課題を解決するためになされた本考案のアーク溶接用トーチは、ノズル保持具にチップホルダーを嵌挿保持させ、このチップホルダーの先端にコンタクトチップを取り付けるとともに、ノズル保持具の先端にコンタクトチップを囲む筒状のトーチノズルを着脱自在に取り付けてなるアーク溶接用トーチにおいて、前記トーチノズルを絶縁性材料で成形し、これを絶縁性ブッシュを介在させることなく金属製のノズル保持具に直接取り付けたことを特徴とするものである。
【考案の効果】
【０００６】
本考案のアーク溶接用トーチでは、トーチノズルを絶縁性材料で成形し、これを絶縁性ブッシュを介在させることなく金属製のノズル保持具に直接取り付けた構造としたので、従来のようなノズル取付部と絶縁ブッシュの２部材からなるノズル保持具に比べて構造がシンプルで小型・軽量化され安価なものとすることができる。また、トーチノズルのスパッタ付着も少なくすることができるうえに、トーチノズルの交換も簡単に行えることとなる。
【考案を実施するための最良の形態】
【０００７】
以下に、図面を参照しつつ本考案の好ましい形態を示す。
図１は、本考案に係るアーク溶接用トーチの第１の例を示すもので、図において、１はノズル保持具、２はチップホルダー、３はコンタクトチップ、４はトーチノズルであり、前記ノズル保持具１にチップホルダー２を嵌挿保持させ、このチップホルダー２の先端にコンタクトチップ３を取り付けるとともに、ノズル保持具１の先端にコンタクトチップ３を囲む筒状のトーチノズル４を着脱自在に取り付けたものとなっている。また、６は溶接溶融池を大気より遮断するための不活性ガス供給用の不活性ガス噴出口である。
なお、コンタクトチップ３の中心部には、溶接ワイヤ（図示せず）が挿通されており、連続供給される構造である点は従来のアーク溶接用トーチと同じである。
【０００８】
本考案では、前記トーチノズル４は絶縁性材料で成形されており、このトーチノズル４を従来のような絶縁性ブッシュを介在させることなく金属製のノズル保持具１に直接取り付けた構造となっている。即ち、本考案ではトーチノズル４を絶縁性材料で成形することにより、絶縁性ブッシュを介在させる必要性をなくし構造の簡素化とコストダウンを図ったのである。
ただし、トーチノズル４は高温下に曝されるため使用中に変形等が生じないよう耐熱性が要求されている。従って、絶縁性材料としては耐熱性に優れたフッ素系樹脂（例えば、「テフロン樹脂」：登録商標）や、フェノール樹脂（例えば、「ベークライト」：登録商標）や、セラミック等のいずれかを選択するのが好ましい。
【０００９】
前記トーチノズル４とノズル保持具１の取付構造としては、図１のものでは、ノズル保持具１の上部にトーチノズル嵌挿用の円筒状部５を突設するとともに、該円筒状部５の外周にリング状の凹溝７を形成し、この凹溝７に弾性材質からなるＯリング８を装着したものとなっている。そして、このＯリング８の弾力下でトーチノズル４を円筒状部５に直接嵌挿・保持させることにより、トーチノズル４を円筒状部５に簡単かつ確実に着脱自在とした構造となっている。
この場合には、トーチノズル４の着脱は円筒状部５に差し込む・引き抜くだけのワンタッチ操作であり極めて簡単に行うことが可能である。
【００１０】
また、図２は本考案に係るアーク溶接用トーチの第２の例を示すものであり、ノズル保持具１にトーチノズル嵌挿用の円筒状部５を突設するとともに、該円筒状部５の外周にネジ部を形成し、トーチノズル４を前記円筒状部５の外周に螺合保持させてある。
この場合には、トーチノズル４の着脱は円筒状部５にねじ込むだけのワンタッチ操作であり極めて簡単に行うことが可能であり、また強い保持力も得られることとなる。しかも、トーチノズル側のネジは事前に成形しておかなくても円筒状部５にねじ込めば自動的にネジ切りがされるため、ネジ加工が不用になるというメリットもある。
【００１１】
更に、図３は本考案に係るアーク溶接用トーチの第３の例を示すもので、ノズル保持具１にトーチノズル嵌挿用の円筒状壁部１０を突設するとともに、該円筒状壁部１０の内周にネジ部１１を形成し、トーチノズル４を前記円筒状壁部１０の内周に螺合保持させてある。
この場合にも、トーチノズル４の着脱は円筒状部５にねじ込むだけのワンタッチ操作であり極めて簡単に行うことが可能であり、また強い保持力も得られることとなる。また、ネジ加工が不用になるというメリットもある。
【００１２】
以上の説明からも明らかなように、本考案はノズル保持具１にチップホルダー２を嵌挿保持させ、このチップホルダー２の先端にコンタクトチップ３を取り付けるとともに、ノズル保持具１の先端にコンタクトチップ３を囲む筒状のトーチノズル４を着脱自在に取り付けてなるアーク溶接用トーチにおいて、前記トーチノズル４を絶縁性材料で成形し、これを絶縁性ブッシュを介在させることなく金属製のノズル保持具１に直接取り付けたものとしたので、スパッタの付着を極力少なくすることができ、またノズル保持具１の構造がシンプルかつ安価あり、またトーチノズル４の交換も簡単で優れた取り扱い性を発揮することができることとなる。
なお、本考案のトーチノズル４はフッ素系樹脂やフェノール樹脂などで形成されているためスパッタが付着しにくく、またスパッタが付着いても簡単に交換することができ、更にはユーザーサイドで長尺のパイプ状物を準備しておけば必要に応じて任意の長さに切断して使用することができるという利点もあり、また、金属製のトーチノズルに比べて軽いためロボット溶接に用いた場合はアームの動きがスムースになって精度よく自動溶接できることになるという利点もある。
【図面の簡単な説明】
【００１３】
【図１】本考案の実施の形態を示す断面図である。
【図２】その他の実施の形態を示す断面図である。
【図３】その他の実施の形態を示す断面図である。
【図４】従来例を示す断面図である。
【符号の説明】
【００１４】
１  ノズル保持具
２  チップホルダー
３  コンタクトチップ
４  トーチノズル
５  円筒状部
６  不活性ガス噴出口
７  凹溝
８  Ｏリング
９  ネジ部
１０  円筒状壁部
１１  ネジ部
【図１】
0003110747.tif 000003
【図２】
0003110747.tif 000004
【図３】
0003110747.tif 000005
【図４】
0003110747.tif 000006